(57)【要約】【課題】本発明は、測定済みの樹木を簡単に識別可能な状態にすることができ、樹木径測定の作業効率及びその正確性を向上させることができる樹木径測定装置を提供する。【解決手段】樹木径測定器１は、測定対象となる樹木Ｔに関する情報と対応づけて記録される樹木Ｔの直径Ｄを測定するための測定部６と、この測定部６によって測定した樹木Ｔにマーキングを行うマーキング手段７とを備える。【選択図】図１
2008286628.tif 000002
【特許請求の範囲】
【請求項１】
測定対象となる樹木に関する情報と対応づけて記録される前記樹木の径を測定するための測定部と、
前記測定部によって径を測定した樹木にマーキングを行うマーキング手段と
を備えることを特徴とする樹木径測定器。
【請求項２】
請求項１記載の樹木径測定器において、
前記マーキング手段は、前記樹木に関する情報の内容に応じた所定の色で前記樹木に着色することを特徴とする樹木径測定器。
【請求項３】
請求項１又は２記載の樹木径測定器において、
前記樹木に関する情報を選択する樹木情報選択部を備え、
前記マーキング手段は、所定の色の着色料を貯蔵する着色料貯蔵部と、前記樹木情報選択部での選択動作に応じて、前記着色料貯蔵部から着色料を導出することで、前記樹木へのマーキングを行う作動機構とを備えることを特徴とする樹木径測定器。
【請求項４】
請求項３記載の樹木径測定器において、
前記樹木の樹種を入力するための樹種入力部を備え、
前記測定部は、前記測定対象となる樹木を挟む固定部材と可動部材とを有し、前記樹木を挟んだときに該固定部材に対する該可動部材の距離を測定値として取得し、該測定値を前記樹種入力部で入力された樹種及び前記樹木情報選択部で選択された情報と対応させて記録することを特徴とする樹木径測定器。
【請求項５】
請求項１乃至４のいずれか１項記載の樹木径測定器において、
前記樹木に関する情報は、前記測定対象となる樹木の生育状況に関する情報を含むことを特徴とする樹木径測定器。
【発明の詳細な説明】
【技術分野】
【０００１】
本発明は、例えば、送電線下等の樹木のように管理が必要な樹木の径を測定する際に使用する樹木径測定器に関する。
【背景技術】
【０００２】
送電線下等の樹木が成長し送電線に接近してくると、樹木接触による電気事故の発生のおそれが高くなる。そこで、樹木接触による電気事故を未然に防止するために、送電線に接触する虞のある樹木を予め伐採している。樹木伐採をするために、先だって伐採樹木調査が行われ、伐採すべき樹木の樹種、胸高直径、本数を確定する。
【０００３】
このような樹木調査を簡易に行う測定器として、本出願人は、一端がＬ字状部材の長辺部に可動辺部材をスライド可能に取り付けて、Ｌ字状部材の短辺部および可動辺部材で測定対象の樹木を挟み込んで樹木の直径を測定する樹木径測定器において、長辺部に沿って付された目盛りを、目盛り読取部により磁気的または光学的に読み取って測定値とするものを開発している（特許文献１参照）。かかる樹木径測定器によれば、使用者である測定者が、樹種選定スイッチを押圧操作して、測定される樹種を選定することにより、制御部を介して測定値および樹種がデータ記憶部の記憶媒体に対応付けて記憶される。
【特許文献１】特開２００６−１９４６９１号公報
【発明の開示】
【発明が解決しようとする課題】
【０００４】
しかしながら、かかる樹木径測定器を用いて測定しても、測定済みの樹木と未測定の樹木との区別がつかず、一度測定した樹木を再度、重複して測定してしまうことがある。特に、複数の測定者が一定の範囲を分割して調査を行うには、その境界付近では、このような重複した測定が頻繁に起こり得る。そこで、測定済みの樹木のそれぞれにビニールテープ等を巻き付けて測定済みの樹木を区別しているが、樹木径の測定以外にテープの巻き付け作業を行う必要が生じて煩雑である。
【０００５】
本発明は、測定済みの樹木を簡単に識別可能な状態にすることができ、樹木径測定の作業効率及びその正確性を向上させることができる樹木径測定装置を提供することを目的とする。
【課題を解決するための手段】
【０００６】
本発明の樹木径測定器は、測定対象となる樹木に関する情報と対応づけて記録される前記樹木の径を測定するための測定部と、前記測定部によって径を測定した樹木にマーキングを行うマーキング手段とを備えることを特徴とする。
【０００７】
かかる樹木径測定器によれば、マーキング手段によって、測定された樹木にマーキングが行われ、測定済みの樹木を簡単に識別可能な状態にすることができる。これにより、測定済みの樹木と未測定の樹木とを区別することができ、樹木径測定の作業効率及びその正確性を向上させることができる。
【０００８】
前記マーキング手段は、前記樹木に関する情報の内容に応じた所定の色で前記樹木に着色することが好ましい。これにより、測定された樹木が測定済みであることが識別可能になるとともに、該樹木に関する情報が所定の色で示されて識別可能になる。そのため、測定された樹木に関する情報を事後的に確認することができ、例えば、実際の伐採作業の際に、伐採作業者が、着色されたマーキングによって該樹木に関する情報を認識して必要な処置（例えば、ロープやチルホールの取付け）等を講じることができる。
【０００９】
本発明の樹木径測定器は、前記樹木に関する情報を選択する樹木情報選択部を備え、前記マーキング手段は、所定の色の着色料を貯蔵する着色料貯蔵部と、前記樹木情報選択部での選択動作に応じて、前記着色料貯蔵部から着色料を導出することで、前記樹木へのマーキングを行う作動機構とを備えることが好ましい。これにより、測定済みである樹木にマーキングを行う構成および樹木に関する情報に応じた所定の色を着色する構成を簡易に実現することができる。なお、ここでいう着色料には、例えば、顔料・染料を含んだインクや塗料等が含まれる。
【００１０】
本発明の樹木径測定器は、前記樹木の樹種を入力するための樹種入力部と備え、前記測定部は、前記測定対象となる樹木を挟む固定部材と可動部材とを有し、前記樹木を挟んだときに該固定部材に対する該可動部材の距離を測定値として取得し、該測定値を前記樹種入力部で入力された樹種及び前記樹木情報選択部で選択された情報と対応させて記録することが好ましい。これにより、測定された樹木の樹種やその樹木に関するその他の情報を関連づけて管理することができ、例えば、樹木伐採の際の補償額やその見積りに活用することができる。
【００１１】
前記樹木に関する情報は、例えば、前記測定対象となる樹木の生育状況に関する情報を含むものである。すなわち、樹木が急傾斜地で生育している場合には、伐倒方向等が制限されて伐採が難しくなるため伐採費用が加算される。同様に、伐採の際にロープやチルホールの取付けが必要な場合にも伐採費用が加算される。そのため、測定する樹木に関する情報として、生育状況に関する情報を選択可能とすることで、例えば、伐採作業の見積り等に活用することができる。
【発明を実施するための最良の形態】
【００１２】
図１に示すように、一実施形態の樹木径測定器１は、Ｌ字形の固定部材２と、固定部材２の長辺部２ａにスライド自在に取り付けられた可動部材３とを備え、固定部材２の短辺部２ｂと可動部材３の間に、測定対象となる樹木Ｔを挟み込んで樹木Ｔの直径Ｄを測定するために用いられる。
【００１３】
固定部材２は、その長辺部２ａに磁気的または光学的な目盛りが付されていると共に、目視可能な目盛りが付されている。
【００１４】
可動部材３は、固定部材２の短辺部２ｂと同一方向に延びるものであって、その一端側が固定部材２の長辺部２ａに取付けられて、長辺部２ａの延伸方向に押圧されることで、短辺部２ｂと平行な状態を保持したまま押圧方向にスライドする。
【００１５】
また、可動部材３には、測定対象となる樹木の樹種を入力する樹種入力部４と、該樹木の生育状況に関する情報を選択して入力する樹木情報選択部５と、樹木Ｔの直径Ｄの測定値を算出して記録する測定部６と、測定した樹木Ｔに着色を行うマーキング手段７とを備える。
【００１６】
図２に示すように、樹種入力部４は、測定部６の側部に設けられた自動復帰型の押しボタンスイッチ４ａ〜４ｄからなり、それぞれの押しボタンスイッチ４ａ〜４ｄは、各樹種にそれぞれ対応している。この樹種入力部４は、使用者である測定者が操作するものであって、測定者が所定の樹種に対応する押しボタンスイッチ４ａ〜４ｄを選定して押すことで、その選定内容が測定部６に入力される。
【００１７】
樹木情報選択部５は、測定対象となる樹木に付随した情報として該樹木の生育状況を選択することができるノック式ボタン５ａ〜５ｃを備える。該樹木の生育状況としては、樹木の伐採作業の際に考慮すべき事項がある。例えば、急傾斜地に生育していること、樹木の形状や隣接樹木との関係からロープの取付けが必要であること、引っ張り工具であるチルホールの取付けが必要であること等があり、測定者は、これらに対応したノック式ボタン５ａ〜５ｃを選択することができる。ノック式ボタン５ａ〜５ｃの構成については後述する。測定者が選択したノック式ボタン５ａ〜５ｃを押し込むと、図示しない電気接点を介して選択内容が測定部６に入力されるとともに、それに対応した着色が測定の際にマーキング手段７によって行われる。
【００１８】
樹木情報選択部５において、ノック式ボタン５ａ〜５ｃは各々測定者によって選択されて押し込まれると、再度そのボタンを押し込んで選択を解除するまで押し込まれた状態を保持する。そのため、隣接樹木で生育状況が同じ場合には、測定毎に樹木の生育状況を選択する必要がなく、連続して樹木測定を行うことができる。
【００１９】
測定部６は、目盛りの読取り機能及び記録機能を有する制御部（図示省略）を内蔵すると共に、補助入力部６ａ、表示部６ｂ、電源スイッチ６ｃ及び出力端子６ｄを備えている。制御部は、例えばマイクロコンピュータを備えて構成され、測定部６の全体の動作を制御する。また、制御部は、時計機能部を有しており、この時計機能部から測定日時の日付および時刻を得ることもできる。尚、この制御部が備える目盛の読取り機能及び記録機能については、前記特許文献１に説明されているので、ここでは詳細な説明を省略するが、例えば、固定部材２の長辺部２ａに所定間隔毎に磁性体を配置することにより、可動部材３が通過した磁性体の数をカウントして測定値を算出し、該測定値が樹種等とともに記憶媒体としての半導体メモリ等に記録される。
【００２０】
補助入力部６ａは、テンキー等から成り、測定者の操作により、測定位置の情報、例えば測定位置上の送電線を支持する鉄塔の番号などを入力される。
【００２１】
表示部６ｂは、例えば液晶表示パネル等で構成され、この表示部６ｂには、測定した樹木の直径の測定値のほか、樹種入力部４によって入力された樹種や、樹木情報選択部５によって選択された情報等が表示される。
【００２２】
出力端子６ｄは、ＵＳＢ(Universal Serial Bus)ポートであって、前記記憶媒体に記録された情報を不揮発性半導体記憶装置（ＥＥＰＲＯＭ）等のフラッシュメモリＭへの出力や、図示しないケーブルを介してパーソナルコンピュータへの転送が可能となっている。
【００２３】
次に、マーキング手段７は、可動部材３の測定樹木側の側端部に設けられたスライド部材７１と、スライド部材７１の噴出し口７２ａ〜７２ｃに連結された第１パイプ部材７３ａ〜７３ｃ及び第２パイプ部材７４ａ〜７４ｃ、第１及び第２パイプ部材７３，７４を介して色の異なる塗料を噴出し口７２に供給する着色料貯蔵部としてのスプレー缶７５ａ〜７５ｃとを備える。
【００２４】
スライド部材７１は、図３に示すように、可動部材３の測定樹木側に設けられた挿入部３１に挿入されて、挿入部３１内を摺動する部材であって、スライド部材７１と可動部材３とはコイルバネ３２を介して一定の挿入位置で保持されている。また、スライド部材７１は、噴出し口７２に連結された第１パイプ部材７３を備え、第１パイプ部材７３は、噴出し口７２側と反対側の一端がスライド部材７１から突出している。この第１パイプ部材７３の一端側の突出部は、挿入部３１の底部に設けられた第１貫通孔３３内に挿通されており、スライド部材７１が押圧されて挿入部３１内に落込むと、スライド部材７１に連結された第１パイプ部材７３が第１貫通孔３３内を摺動して進行するようになっている。
【００２５】
第１貫通孔３３は、挿入部３１からノック式ボタン５ａ〜５ｃを収納する四角穴３４に連通する貫通孔であって、第１貫通孔３３内の第１パイプ部材７３は、そのスライド部材７１から突出する一端を、ノック式ボタン５ａ〜５ｃの一部を構成するピストン部材５１に当接させている。
【００２６】
ピストン部材５１は、四角穴３４内を摺動可能な箱体であって、一端が四角穴３４の底部に取り付けられたコイルバネ５２に連結されるともに、他端が連結棒５３を介してノック式ボタンの押圧部５４に連結されている。連結棒５３には、その一部が大径になった大径部５５を備え、大径部５５は、四角穴３４の内壁に後付された係合部５５と係合する（図５参照）。
【００２７】
また、ピストン部材５１は、図４に示すように、第２貫通孔５６が設けられており、第２貫通孔５６内には、これより小径で第１パイプ部材７３と同径の第２パイプ部材７４が摺動可能に内蔵されている。
【００２８】
そして、図５に示すように、連結棒５３の大径部５５と四角穴３４の内壁の係合部３５が係合して保持された状態で、ピストン部材５１は、第２貫通孔５６が第１貫通孔３３と同軸になる位置に保持され、第１貫通孔３３内の第１パイプ部材７３と第２貫通孔５６内の第２パイプ部材７４とが当接している。この状態で、スライド部材７１が挿入部３１に落ち込むと第１及び第２パイプ部材７３，７４が一体となって第１及び第２貫通孔３３，５６内を摺動する。
【００２９】
スプレー缶７５は、そのノズル７６を可動部材３に向けて装着可能になっており、スプレー缶７５が可動部材３に装着された状態でその先端部が可動部材３の装着係合部３６に係合して保持される。連結棒５３の大径部５５と四角穴３４の内壁の係合部３５が係合して保持されたときに、スプレー缶７５のノズル７６が、第２パイプ部材７４と当接するようになっており、第１及び第２パイプ部材７３，７４とスプレー缶７５のノズル７６とが一体となって動き、スプレー缶内の着色料である塗料がノズル７６から第１及び第２パイプ部材７３，７４を介して噴出し口７２に供給されるようになっている。
【００３０】
尚、第１パイプ部材７３と第２パイプ部材７４の接続部や、第２パイプ部材７４とノズル７６の接続部から塗料が漏れることを防止するために、これら接続部に接続されるパイプ部材の一方に嵌着部を設け、他方のパイプ部材又はノズルに嵌着するようにしてもよい。
【００３１】
次に、樹木径測定器１を用いた樹木の測定方法について説明する。
【００３２】
まず、使用者は、電源スイッチ６ｃを押して電源をオンにした上で、測定位置の情報として鉄塔番号等を補助入力部６ａから入力する。
【００３３】
次に、測定対象となる樹木を決めると、その樹木Ｔの樹種を樹種入力部４から選定して、押しボタンスイッチ４ａ〜４ｄのいずれかを押す。そして、その選定結果が、測定部６の制御部に入力される。
【００３４】
また、測定者は、樹木Ｔの生育状況を選択して、ノック式ボタン５ａ〜５ｃを押し込む。この場合、選択されるノック式ボタンは１つとは限らず、該当する生育状況のすべてを選択することができる。例えば、樹木Ｔが急傾斜地に生育している場合には、ノック式ボタン５ａが選択され、さらに、樹木Ｔがその形状から、伐採作業の際にロープの取付けが必要な場合には、さらにノック式ボタン５ｂも選択される。そして、選択された選択結果が、測定部６の制御部に入力されるとともに、押圧されたノック式ボタン５ａ〜５ｃは下降した状態で保持される。
【００３５】
この状態で、測定者は、固定部材２の短辺部２ｂと可動部材３の間に、測定対象となる樹木Ｔを挟み込むようにすることで、測定部６が固定部材２の長辺部２ａに付された目盛りを磁気的又は光学的に読み取って、その最小値を測定対象の樹木Ｔの直径Ｄとして取り込む。
【００３６】
また、この測定時に、マーキング手段７は、スライド部材７１が測定対象の樹木Ｔで押圧されて挿入部３１内に落ち込み、スライド部材７１に結合する第１パイプ部材７３が第１貫通３３内を摺動する。その結果、図５に示すように、ノック式ボタン５ａ〜５ｃのうち、樹木Ｔの生育状況として選択され、押下げ状態のノック式ボタンに対応する第２パイプ部材７４のみが第１パイプ７３と一体となって第２貫通孔５６内を摺動し、第２パイプ部材７４に当接するノズル７６がスプレー缶７５内に押し下げられて、スプレー缶７５内部の塗料がノズル７６内に噴出する。そして、ノズル７６から第１及び第２パイプ部材７３，７４を介してスライド部材７１の噴出し口７２に塗料が供給され、測定対象となる樹木Ｔに所定の色の着色が行われる。
【００３７】
これにより、測定済みの樹木と未測定の樹木とを区別することができ、樹木径測定の作業効率及びその正確性を向上させることができるとともに、該樹木の生育状況に関する情報が所定の色の組合せでマーキングされることにより、測定された樹木の属性等を事後的に識別することができる。例えば、実際の伐採作業の際に、伐採作業者が、着色されたマーキングによって必要な処置（例えば、ロープやチルホールの取付け）等を講じることができる。
【００３８】
測定された樹木Ｔの測定値は、樹種入力部４で入力された樹種及び樹木情報選択部５で選択された樹木Ｔの生育状況が表示部６ｂに表示され、続けて、測定を行う場合には、表示部６ｂの選択画面に従って、例えば、補助入力部６ａから「０」を選択する。そして、前述のように、次の測定対象となる樹木の樹種を樹種入力部４で入力し、その樹木の生育状況に合わせて樹木情報選択部５のノック式ボタン５ａ〜５ｃをセットする。尚、前回測定した樹木と次に測定する樹木の生育状況が同じ場合には、ノック式ボタン５ａ〜５ｃを改めてセットすることなく、そのままの状態で測定を行うことができる。一方、選択したノック式ボタンを解除する場合には、そのノック式ボタンを再度押し込んで、バネ５２の伸縮力で係合部３５と大径部５５との係合を解除して、該ボタンをリセット位置に押し戻す。
【００３９】
このようにして、樹木の測定を繰り返した後、測定結果をフラッシュメモリＭに出力する場合には、表示部６ｂに表示された選択画面に従って、例えば、補助入力部６ａから「１」を入力して、出力ステップに進む。出力ステップでは、測定値及びそれに関連付けられた樹種、生育状況が、鉄塔番号、測定日時等の付加情報とともにフラッシュメモリＭに出力される。これにより、測定された樹木の樹種やその生育状況に関する情報を関連付けて管理することができ、例えば、樹木伐採の際の補償額やその見積りに活用することができる。
【００４０】
次に、樹木径測定器１の他の本実施形態について、図６を参照して説明する。他の実施形態における樹木測定器１は、可動部材３にマーキング手段としてのスタンプ部８を備える。
【００４１】
スタンプ部８は、図７（Ａ）に示すように、可動部材３の樹木に接する側に設けられた挿入部３１内に挿入される部材であって、インク充填８１と、インク充填部８１に所定の割合でインクを供給するインク浸透部８２と、インク充填部８１及びインク浸透部８２に所定の色のインクを供給するインク貯蔵部８３とを備える。インク充填部８１は、無数の毛細管を有するゴム製の部材で、インク浸透部８２がインク貯蔵部８３から吸蔵したインクを毛細管現象で、その表面に運ぶ機能を有している。
【００４２】
また、インク貯蔵部８３側には連結棒８４が連結されており、連結棒８４は可動部材３の貫通孔３３内を挿通可能になっている。連結棒８４の他端側は、コイルバネ８５と大径部８６とを備えるノック式ボタン５ａ〜５ｃが形成され、ボタンを押し込むと大径部８６が内壁から突出した係合部３５に係合して保持される。尚、ノック式ボタン５ａ〜５ｃが、樹木情報選択部５に対応しており、ノック式ボタン５ａ〜５ｃを選択することにより、図示しない電気接点により、選択された内容が測定部６の制御部に入力されることは、前述の実施例の場合と同様である。
【００４３】
そして、図７（Ｂ）に示すように、測定者によって、ノック式ボタン５ｂが選択された場合には、押し込まれたボタンに連結した連結棒８４を介して、スタンプ部８が可動部材３から突出するとともに、大径部８５が係合部３５に係合して保持される。
【００４４】
この状態で、測定者が測定を行うことで、インク貯蔵部８３に貯蔵された所定の色のインクがインク充填部８１を介して測定対象となる樹木に着色される。これにより、前述の実施形態と同様の作用効果を得ることができる。
【００４５】
また、他の実施形態の変形例として、図８に示すように、複数のスタンプ部８ａ〜８ｃを備えた回転体９１を可動部材３内に軸着して、回転体９１に連結したレバー部９２を操作して、複数のスタンプ部８ａ〜８ｃの中から、所定の色のスタンプを選択して着色可能なようにしてもよい。この場合、レバー部９２が、樹木情報選択部５に対応しており、図示しない電気接点により、レバー部９２の操作により選択された内容が測定部６の制御部に入力されることは、前述の実施形態の場合と同様である。
【００４６】
尚、本実施形態において、図示の例では、樹種入力部が自動復帰型の押しボタンスイッチからなり、これらの押しボタンスイッチから樹種が選定されるようになっているが、これに限定されるものではなく、例えば、テンキーからなる補助入力部等から樹種が入力されてもよい。
【図面の簡単な説明】
【００４７】
【図１】本発明の一実施形態の樹木測定器の外観を示す斜視図。
【図２】図１の樹木測定器の上面図。
【図３】図２のＩＩＩ−ＩＩＩ線に沿った断面図。
【図４】図２のＩＶ−ＩＶ線に沿った断面図。
【図５】マーキング手段の使用状態を示す断面図。
【図６】樹木測定器の他の実施形態を示す斜視図。
【図７】図６の樹木測定器の内部構造を示す断面図。
【図８】樹木測定器の他の実施形態の変形例を示す断面図。
【符号の説明】
【００４８】
１…樹木測定器、２…固定部材、３…可動部材、４…樹種入力部、５…樹木情報選択部、６…測定部、７…マーキング手段、７５…スプレー缶（着色料貯蔵部）。
【図１】
2008286628.tif 000003
【図２】
2008286628.tif 000004
【図３】
2008286628.tif 000005
【図４】
2008286628.tif 000006
【図５】
2008286628.tif 000007
【図６】
2008286628.tif 000008
【図７】
2008286628.tif 000009
【図８】
2008286628.tif 000010